(57)【要約】      （修正有）【課題】衣服の背中に設けられたスライドファスナを容易に開閉できるスライドファスナ開閉補助具を提供する。【解決手段】衣服の背中に取り付けられたスライドファスナ２０のスライダ２４に係止する第一の結合具３０と、この第一の結合具に脱着可能に結合する第二の結合具４０とから構成され、この第一の結合具は、スライダに係止するスライダ係止具３６と、このスライダ係止具に連結した第一の結合体３２とから構成され、この第二の結合具は、第二の結合体４２と、この第二の結合体に連結した連結部と、この連結部の他端に設けられた操作部５０とにより構成され、第一の結合体と第二の結合体は磁性体により構成され、磁力により着脱可能なスライドファスナの開閉補助具である。【選択図】図１
2015226744.tif 000002
【特許請求の範囲】
【請求項１】
スライドファスナのスライダに結合する第一の結合具と、この第一の結合具に脱着可能に結合する第二の結合具とから構成され、この第一の結合具は、強磁性体からなる第一の結合体を有し、この第二の結合具は、強磁性体からなる第二の結合体と、連結部と操作部を有し、第一の結合体と第二の結合体は磁力により着脱可能であることを特徴とするスライドファスナの開閉補助具。
【請求項２】
請求項１のスライドファスナ開閉補助具の第一の結合具と第二の結合具の結合体結合力がスライドファスナのスライダの摺動力より大きく、操作者の操作可能力より小さいことを特徴とするスライドファスナの開閉補助具。
【請求項３】
請求項１または請求項２のスライドファスナ開閉補助具において、第一の結合具は、第一の結合体とこれに結合された係止具とからなり、第二の結合具は、第二の結合体とこれに連結された連結部と操作部からなり、この係止具はスライドファスナのスライダに着脱可能に係止されることを特徴とするスライドファスナ開閉補助具。
【請求項４】
請求項１また請求項２のスライドファスナ開閉補助具において、第一の結合体をスライドファスナのスライダの引手に結合し、第二の結合具は、第二の結合体とこれに連結された連結部と操作部からなることを特徴とするスライドファスナ開閉補助具。
【請求項５】
請求項１から請求項４の何れかのスライドファスナ開閉補助具の第一の結合体と第二の結合体にそれぞれ抑止部を設けて、結合体結合力を増大したことを特徴とするスライドファスナ開閉補助具。
【請求項６】
請求項１から請求項５の何れかのスライドファスナ開閉補助具の連結部をストラップとし、操作部をストラップを巻き取るリールとしたことを特徴とするスライドファスナ開閉補助具。
【発明の詳細な説明】
【技術分野】
【０００１】
この発明は、背中にスライドファスナの付いたワンピーズ等の衣服のスライドファスナを開閉し易くするためのスライドファスナ開閉補助具に関する。
【背景技術】
【０００２】
従来、背中の中央縦方向にスライドファスナの付いた衣服の着用者が背中に手を回し、スライドファスナのスライダを上下に操作するのは大変やっかいであった。このため、家族や友人の手を借りて着脱をする場合も多かった。特に、年配者や障害者には著しく困難であり、このような衣服の着用を断念する場合もあったが、礼服等どうしても着用しなければならない場合も多かった。
【先行技術文献】
【特許文献】
【０００３】
【特許文献１】特開２０１０−２２７９８
【特許文献２】実登３１５５７０３
【発明の概要】
【発明が解決しようとする課題】
【０００４】
特許文献１および特許文献２に開示されたように、スライドファスナのスライダにチエーンや紐を取付けて、このチェーンや紐を引くことによりスライダを上下に操作する従来技術が開示されている。
しかしながら、特許文献２においては、紐１Ｂを常時スライダに装着したままであり、紐１Ｂと重り３を衣服の内側に入れても、薄着の場合外から透けて見え、着用者の肌に異物感を与えるるという問題点があった。
【０００５】
特許文献１においては、スライドファスナの操作時のみクリップ３をスライダに取り付けるのであり、特許文献２の問題点は解決できるが、着用者が背中に両手を回し手探りでクリップ３をスライダに取り付けたり取り外したりするのが困難という問題点があった。
【課題を解決するための手段】
【０００６】
服の背中に取り付けられたスライドファスナのスライダに結合する第一の結合具と、この第一の結合具に脱着可能に結合する第二の結合具とから構成され、この第一の結合具は、強磁性体からなる第一の結合体を有し、この第二の結合具は、強磁性体からなる第二の結合体と、連結部と操作部を有し、第一の結合体と第二の結合体は磁力により着脱可能であることを特徴とするスライドファスナの開閉補助具である。
【発明の効果】
【０００７】
上記の問題点を解決し、背中のスライドファスナを容易に開閉できるスライドファスナ開閉補助具を提供することができる。
【図面の簡単な説明】
【０００８】
【図１】第一の実施例のスライドファスナ開閉補助具をスライドファスナに取り付けた状態を示す斜視図である。
【図２】第一の実施例のスライドファスナを示す斜視図である。
【図３】第一の実施例のスライドファスナ開閉補助具の第一の結合具を示す斜視図である。
【図４】第一の実施例のスライドファスナ開閉補助具の第二の結合具を示す斜視図である。
【図５】第一の実施例のスライドファスナ開閉補助具の第一の結合具をスライドファスナのスライダに取付けた状態を示す斜視図である。
【図６】スライドファスナを閉めるため第一の結合具に第二の結合具を結合しようとする状態を示す斜視図である。
【図７】スライドファスナを閉めるため第一の結合具に第二の結合具を結合した状態を示す図である。
【図８】スライドファスナを開くために第一の結合具に第二の結合具を結合しようとする状態を示す図である。
【図９】スライドファスナを開くために第一の結合具に第二の結合具を結合した状態を示す図である。
【図１０】スライドファスナを開くために第一の結合具に第二の結合具を結合してスライダを下げようとする状態を示す図である。
【図１１】第二の実施例のスライドファスナ開閉補助具の斜視図を示す。
【図１２】第三の実施例のスライドファスナ開閉補助具の第一の結合具を示す斜視図である。
【図１３】第三の実施例のスライドファスナ開閉補助具の第二の結合具を示す斜視図である。
【図１４】第三の実施例のスライドファスナ開閉補助具の第一の結合体を示す側面図である。
【図１５】第三の実施例のスライドファスナ開閉補助具の第一の結合体を示す断面図である。
【図１６】第三の実施例のスライドファスナ開閉補助具の第二の結合体を示す側面図である。
【図１７】第三の実施例のスライドファスナ開閉補助具の第二の結合体を示す断面図である。
【図１８】第三の実施例のスライドファスナ開閉補助具の第一の結合体と第二の結合体が結合した状態を示す側面図である。
【図１９】第三の実施例のスライドファスナ開閉補助具の第一の結合体と第二の結合体が結合した状態を示す断面図である。
【図２０】第三の実施例のスライドファスナ開閉補助具の第一の結合体と第二の結合体が結合した状態を示す断面図であり、力の作用の仕方を説明する図である。
【図２１】第四の実施例のスライドファスナ開閉補助具の第一の結合体と第二の結合体が結合した状態を示す断面図である。
【図２２】第五の実施例のスライドファスナ開閉補助具のスライドファスナと第一の結合体を示す正面図である。
【図２３】第五の実施例のスライドファスナ開閉補助具の引手と第一の結合体を示す側面図である。
【発明を実施するための形態】
【０００９】
衣服の背中に取り付けられたスライドファスナのスライダに結合する第一の結合具と、この第一の結合具に脱着可能に結合する第二の結合具とから構成され、この第一の結合具は、強磁性体からなる第一の結合体を有し、この第二の結合具は、強磁性体からなる第二の結合体と、連結部と操作部を有し、第一の結合体と第二の結合体は磁力により着脱可能であることを特徴とするスライドファスナの開閉補助具である。
【００１０】
上記のスライドファスナ開閉補助具の第一の結合具と第二の結合具の結合体結合力がスライドファスナのスライダの摺動力より大きく、操作者の操作可能力より小さいことを特徴とするスライドファスナの開閉補助具である。
上記のスライドファスナ開閉補助具において、第一の結合具は、第一の結合体とこれに結合された係止具とからなり、第二の結合具は、第二の結合体とこれに連結された連結部と操作部からなり、この係止具はスライドファスナのスライダに着脱可能に係止されることを特徴とするスライドファスナ開閉補助具である。
【００１１】
上記のスライドファスナ開閉補助具において、第一の結合体をスライドファスナのスライダの引手に結合し、第二の結合具は、第二の結合体とこれに連結された連結部と操作部からなることを特徴とするスライドファスナ開閉補助具である。
上記の何れかのスライドファスナ開閉補助具の第一の結合体と第二の結合体にそれぞれ抑止部を設けて、結合体結合力を増大したことを特徴とするスライドファスナ開閉補助具である。
上記のスライドファスナ開閉補助具の連結部をストラップとし、操作部をストラップを巻き取るリールとしたことを特徴とするスライドファスナ開閉補助具である。
【実施例】
【００１２】
図１は、第一の実施例のスライドファスナ開閉補助具１０をスライドファスナ２０に取付けた斜視図であり、スライドファスナ開閉補助具１０は、第一の結合具３０と、第二の結合具４０とから構成されている。  図２に示すように、スライドファスナ２０は、一対のファスナエレメント２２にスライダ２４を嵌合させ、スライダ２４には引手２６が環状の引手取付部２８を介して取り付けられて構成されている。
【００１３】
図３は、第一の結合具３０を示す斜視図であり、第一の結合体３２と、これに結合している環状の係止具取付部３４と、これに嵌合している係止具３６とから構成されている。第一の結合体３２には、小型で強力なネオジウム等の希土類磁石を使うのが好ましい。係止具３６は環状に形成され、ノブ３８を操作することにより環を開閉することが可能である。
【００１４】
図４は、第二の結合具４０を示す斜視図であり、第二の結合体４２と、これに結合する第二の結合体取付部４４と、連結部であるストラップの第一の端部４６と、ストラップ４８と、操作部５０とから構成されている。第二の結合体４２は、ネオジウム等の希土類磁石で形成され、磁極の向きは第一の結合体３２と対向するように配置してある。連結部であるストラップ４８は、チェーンや紐等で構成されている。操作部５０には、ストラップ４８を巻き取るリールが内臓されている。リールは巻き取り方向にバネで付勢されおり、適宜長さにおいてロックできるロック機構を有している。ストラップ４８はメジャーとし、リールに巻き取るようにしてもよい。
【００１５】
第一の結合体３２と第二の結合体４２は、両者共、強磁性体で構成されている。両者とも着磁されている方が望ましいが、片方は、磁場に置かれた場合に磁力が発生する材料でもよい。即ち、第一の結合体３２と第二の結合体４２は、接近した場合吸着する関係にあれば良い。第一の結合具３０の方が、人体に長時間接近して着用される機会が多いので、第一の結合体３２の方の磁力を第二の結合体４２の磁力より弱くするのが望ましい。第一の結合体３２と第二の結合体４２以外は、アルミニュームや銅、真鍮、樹脂等の非磁性体（磁石に吸着しない材料）で構成されているので、誤着を防止することができる。
【００１６】
図５は、第一の結合具３０をスライダ２０に取り付けた状態を示す斜視図であり、衣服着用時に常時このように取り付けたままにしておいても邪魔にならない。
図６、図７は、衣服を着用する際に、ファスナ２０を閉める方法を示す斜視図である。図６の様に、ストラップ４８を適宜長さ伸ばし、第二の結合体４２を、第一の結合体３２の近傍に近づけると、図７のように、第一の結合体３２と第二の結合体４２は磁力により吸着する。そして、操作部５０を引いて第二の結合具４０を引き上げると、スライダ２０は上方に移動してファスナ１０を閉めることができる。
【００１７】
この後、さらに第二の結合具４０を強く引くと第一の結合体３２と第二の結合体４２が分離する。従って、特許文献２の従来技術のように両手を使ってクリップを嵌めたり外したりする必要がなく、片手だけでスライドファスナを閉じてそのまま連続した動作で第二の結合具４０を分離することができる。
【００１８】
図８、図９、図１０により、ファスナ２０を開く方法を示す。図８の様に、第二の結合体４２を第一の結合体３２の近傍に近づけると、図９の様に、第一の結合体３２と第二の結合体４２が磁力により吸着し合い合体する。そして、図１０の様に、操作部５０を下に回して引き、第二の結合具４０を下に引くことにより、スライダ２０は下方に移動しファスナ１０を開くことができる。
【００１９】
この後、さらに第二の結合具４０を強く引くと第一の結合体３２と第二の結合体４２が分離する。従って、従来技術のように両手を使って操作する必要がなく、片手だけでスライドファスナを開いてそのまま連続した動作で第二の結合具４０を分離することができる。
【００２０】
ここで、第一の結合体３２と第二の結合体４２の間の結合体結合力をＭとし、スライダ摺動力をＬとし、手の操作可能力をＨとすると、  Ｌ＜Ｍ＜Ｈ  となるよう設定してある。
したがって、着用者の手により第二の結合具４０を引くと、第一の結合具３０と第二の結合具４０の結合体結合力Ｍを介してスライダ２４を摺動することができ、スライダを摺動し終えてさらに強く引くと第一の結合具３０と第二の結合具４０を片手で離脱させることができる。
【００２１】
図１１は第二の実施例のスライドファスナ開閉補助具１０を示し、連結部としてクリップ７０を設けたものである。このクリップ７０を、ネックレス、スカーフ、ハンカチなどの長さを有する持ち物６０に取り付けて、第一の実施例のストラップ４８の代わりとしている。
【００２２】
第１２図から第２０図により第三の実施例を説明する。第一の結合体３２は吸着材３２Aと、この外周を囲む保持材３２Ｂと、抑止部３２Cとから構成されている。第二の結合体４２は吸着材４２Aと、この外周を囲む保持材４２Ｂと、抑止部４２Cとから構成されている。吸着材３２Aと４２Aは引き方向Xと略平行な面を有し、引き方向と略直角な方向YにS極,N極がくるように着磁している。
【００２３】
第一の結合体３２と第二の結合体４２には、引き方向Xの動きを抑止する抑止部３２Cと４２Cが設けられている。即ち、第一の結合体３２と第二の結合体４２は磁力により結合したとき、引き方向Xに引くと吸着面に沿ってスリップしようとするが、抑止部３２Cと４２Cとが係合してスリップは抑止される。これにより、単に磁力で吸着しているよりも大きな引き方向Xの抗力（結合体結合力M）が生じる効果が得られる。
【００２４】
このことを図２０により詳述すると、抑止部３２C、４２C周りのモーメントは次のとおりとなる。
M×ｄ1＝F×ｄ2
Mは結合体結合力、Fは磁力によるY方向の吸着力、ｄ1は抑止部３２C、４２Cの接点から結合体結合力Mまでの距離、ｄ2は抑止部３２C、４２Cの接点から吸着力Fまでの距離である。
この式から
M＝（ｄ2/ｄ1）F  が導かれる。
即ち、結合体結合力Mは、磁力による吸着力Fの（ｄ2/ｄ1）倍となり、逆に磁力は第三の実施例までの（ｄ2/ｄ1）分の一で済むことなる。
【００２５】
従って、弱い磁力であっても強い結合体結合力Mが得られるので、人体や機器への影響を最小に抑えることができる。抑止部4２Cは引き方向Xと直角方向Yに膨出しており、膨出量を大きくすれば結合体結合力Mは大きくなる。
【００２６】
図２1に示す第四の実施例では、抑止部３２C、４２Cを吸着材３２A、４２Aに設けた凹部と凸部により構成したものである。このように、抑止部３２C、４２Cは吸着材３２A、４２Aあるいは保持材３２B、４２Bのどちらに設けてもよい。
図２2、図２３に示す第五の実施例では、第一の結合体３２を引手２６に直接取り付けたものであり、構造を簡単にし見栄えを良くすることができる。
【産業上の利用可能性】
【００２７】
この発明のスライドファスナ開閉補助具は、背中のスライドファスナを開閉するのに利用できるが、他の手の届かない場所のスライドファスナを操作するのにも利用が可能である。
【符号の説明】
【００２８】
１０はスライドファスナ開閉補助具
２０はスライドファスナ
２２はファスナエレメント
２４はスライダ
２６は引手
２８は引手取付部
３０は第一の結合具
３２は第一の結合体
３２Aは吸着材
３２Bは保持材
３２Cは抑止部
３４は係止具取付部
３６は係止具
３８はノブ
４０は第二の結合具
４２は第二の結合体
４２Aは吸着材
４２Bは保持材
４２Cは抑止部
４４は第二の結合体取付部
４６はストラップの第一の端部
４８はストラップ
５０は操作部
６０は持ち物
７０はクリップ
Ｌはスライダ摺動抵抗
Ｍは第一の結合体と第二の結合体の結合体結合力
Ｈは手の操作可能力
【図１】
2015226744.tif 000003
【図２】
2015226744.tif 000004
【図３】
2015226744.tif 000005
【図４】
2015226744.tif 000006
【図５】
2015226744.tif 000007
【図６】
2015226744.tif 000008
【図７】
2015226744.tif 000009
【図８】
2015226744.tif 000010
【図９】
2015226744.tif 000011
【図１０】
2015226744.tif 000012
【図１１】
2015226744.tif 000013
【図１２】
2015226744.tif 000014
【図１３】
2015226744.tif 000015
【図１４】
2015226744.tif 000016
【図１５】
2015226744.tif 000017
【図１６】
2015226744.tif 000018
【図１７】
2015226744.tif 000019
【図１８】
2015226744.tif 000020
【図１９】
2015226744.tif 000021
【図２０】
2015226744.tif 000022
【図２１】
2015226744.tif 000023
【図２２】
2015226744.tif 000024
【図２３】
2015226744.tif 000025